(57)【要約】  本発明は仰向けに横になった時には、熟眠に役に立ち、俯せになった状態で顔を支える場合には、呼吸が楽であり、且つ顔の経穴の刺激に役に立つ健康枕に関する発明である。このための本発明は、本体と；本体の前面側に本体の高さより高い高さに長さ方向に沿って連設される首支持部と；首支持部の中央を貫通して本体の中央まで形成される通風口と；通風口と接する本体に形成され、通風口側へ漸次に低くなって傾斜するように形成される傾斜支持部と；通風口側の首支持部に突出して形成される経穴刺激部とからなることを特徴とする。本発明の枕は睡眠のために、仰向けに横になると、頭が接する部分に通風口が形成されて風通しがよくて、頭に汗をかかないで、熟眠に役に立つ。
2013521974.tif 000002
【特許請求の範囲】
【請求項１】
本体と；
前記本体の前面側に本体の高さより高い高さに長さ方向に沿って連設される首支持部と；
前記首支持部の中央を貫通して本体の中央まで形成される通風口と；
前記通風口と接する本体に形成されて、通風口側へ漸次に低くなりながら傾斜するように形成される傾斜支持部と；
前記通風口側の首支持部に突出して形成される経穴刺激部と；からなることを特徴とする健康枕。
【請求項２】
前記通風口は、顔の口の部分が接する下部通風口と、顔の目の部分が接する上部通風口と、前記下部通風口と上部通風口との間に形成される顔面支持部とで構成されることを特徴とする請求項１に記載の健康枕。
【発明の詳細な説明】
【技術分野】
【０００１】
本発明は枕に関し、より詳しくは仰向けに横になった時には熟眠に役に立ち、俯せになった状態で顔が支えられる場合には呼吸が楽であり、顔の経穴の刺激に役に立つ健康枕に関する発明である。
【背景技術】
【０００２】
一般に、睡眠の時、脊骨を真っ直ぐに維持した状態で快適な睡眠を取ることができるように頭を支える枕が使われている。
【０００３】
しかし、一般的な枕は、睡眠の時、単純に頭を支える役割を果たすだけで、頭と枕が接する部分の風通しが悪くて、汗をかき、熟眠にも影響を与える。
【０００４】
従って、多様な形態と材質の枕が提供されているが、人体工学的部分を考慮してより効率的な改善が必要である。
【０００５】
そして、按摩またはマッサージを受ける場合、または病院などで俯せになった状態で手術を受ける場合は、顔の下に枕を置くと、鼻と口が塞がれて呼吸しにくく、目を開くことができない等の不便がある。従って、顔を横へ向けた状態で長時間俯せになるが、これは首に無理を与え、顔の輪郭形態が変わる問題点がある。
【発明の概要】
【発明が解決しようとする課題】
【０００６】
本発明は上記のような問題点を解決するために案出されたもので、睡眠の時、枕と接する頭に風通しがよくなるようにし、頭の経穴を刺激することによって熟眠に役に立つ枕を提供することにその目的がある。
【０００７】
また、本発明は、俯せになった時、顔の下に置かれる場合にも、顔を回さなくても呼吸が楽になり、且つ非対称の顔の輪郭を矯正する枕を提供することに他の目的がある。
【課題を解決するための手段】
【０００８】
本発明は、本体と；上記本体の前面側に本体の高さより高い高さに長さ方向に沿って連設される首支持部と；上記首支持部の中央を貫通して本体の中央まで形成される通風口と；上記通風口と接する本体に形成され、通風口側へ漸次に低くなるように傾斜して形成される傾斜支持部と；上記通風口側の首支持部に突出して形成される経穴刺激部とで構成されることを特徴とする。
【０００９】
また、本発明の通風口は顔の口の部分が接する下部通風口と、顔の目の部分が接する上部通風口と、上記下部通風口と上部通風口との間に形成される顔面支持部とで構成されることを特徴とする。
【発明の効果】
【００１０】
本発明の枕は睡眠のために、仰向けに横になると、頭が接する部分に通風口が形成されて風通しがよくなるので、頭に汗をかかないで、熟眠に役に立つ。
【００１１】
また、本発明の枕は俯せになった場合は、顔が接する部分に通風口が形成されているので、呼吸や目を開くことが容易で楽になる長所がある。
【００１２】
また、本発明の枕は顔を接して俯せになると、傾斜支持部が顔の骨格を締め付けて非対称の顔を矯正してくれる長所がある。
【図面の簡単な説明】
【００１３】
【図１】本発明による枕の斜視図である。
【図２】本発明による枕の平面図である。
【図３】本発明による枕に使用者が仰向けに横になった状態の概念図である。
【図４】本発明による枕に使用者が俯せになった状態の概念図である。
【図５】本発明による枕に使用者が俯せになった状態の枕の断面図である。
【発明を実施するための形態】
【００１４】
以下、本発明の最も好ましい一実施例の構成を添付した図面を参考にして説明すれば次の通りである。
【００１５】
本発明の枕は、本体１０と、首支持部２０と、通風口３０と、傾斜支持部４０と、経穴刺激部５０とからなる。
【００１６】
本体１０は軟質のポリウレタン樹脂からなり、略四角形を有し、外周面には繊維吸着剤７０％に防水剤２０％及び抗菌、防臭剤１０％が混合された薄いコーティング液が塗布される。
【００１７】
首支持部２０は本体１０の前面側に長さ方向に沿って長く形成され、本体１０の高さより高い高さに突出部が形成される。
【００１８】
通風口３０は首支持部２０の中央を貫通して本体１０の中央部まで形成される。特に、通風口３０は顔の口の部分が位置するように下部通風口３１と目の部分が位置する上部通風口３２とが形成される。また、下部通風口３１と上部通風口３２との間には顔面支持部３３が形成される。
【００１９】
傾斜支持部４０は通風口３０の外側に形成され、本体１０から通風口３０側に漸次に低くなるように傾斜して形成される。
【００２０】
経穴刺激部５０は通風口３０と接する首支持部２０に緩く湾曲されて突出して形成される。
【００２１】
以下、本発明の枕の作用を説明する。
【００２２】
使用者が本発明の枕が後頭部の下に位置されるようにして仰向けに横になると、使用者の後頭部の一部分は本体１０に接し、一部は枕の通風口３０に位置する。従って、本発明の枕は、睡眠の時、使用者の頭の位置を正しく矯正してくれる。また、首支持部２０が使用者の首を支えながら安定感を与えて使用者が正しい姿勢で睡眠を取ることができるようにする。
【００２３】
この時、使用者の後頭部は首支持部２０から枕の中央部まで形成された通風口３０によって枕と接しないで離隔されている状態になって、風通しがよくなる。従って、後頭部に汗をかく虞がなく、これは使用者の熟眠に役に立つ。
【００２４】
経穴刺激部５０は仰向けに横になった使用者の後頭部または首の完骨、天柱、風池の経穴を刺激して気持ちをすっきりさせ、疲れを解消する等健康に役に立つ。
【００２５】
使用者が俯せになった状態で本発明の枕を使う場合を説明する。
【００２６】
使用者が顔部分が通風口３０側に位置するようにして俯せになると、顔の目は上部通風口３２に位置し、口は下部通風口３１に位置する。また、顔面支持部３３が顔の鼻の隣部分を支持する。
【００２７】
使用者は俯せになった状態でも通風口３０によって容易に呼吸することができ、目を開いた状態でいることができる。
【００２８】
また、俯せになった状態で顔を通風口３０に位置させると、顔の外側部分が傾いた傾斜支持部４０によって支持されながら顔面の筋肉が顔の外側部分へ引かれるようになり、これは肌を引き締める役割を果たす。
【００２９】
また、顔の骨格が非対称的に形成された使用者が本発明の枕に常に俯せになると、左右対称的に形成された傾斜支持部４０に顔が支持されながら、非対称の顔の骨格が漸次に自然的に矯正される。
【００３０】
一方、上記で説明された本発明の実施例は様々な形態に変形されることができ、本発明の範囲が実施例に限定されて解釈されてはならない。本実施例は本発明が属する技術分野において、平均的な知識を有する者に本発明をさらに完全に説明するために提供されるものである。従って、特許請求の範囲によって定義される本発明の精神と範囲内にある全ての変形物と均等物及び代替物を含むものに理解すべきである。
【産業上の利用可能性】
【００３１】
本発明の枕は睡眠のために、仰向けに横になると、頭が接する部分に通風口が形成されて風通しがよくなるので、頭に汗をかかないで、熟眠に役に立つ。
【００３２】
また、本発明の枕は俯せになった場合、顔が触れる部分に通風口が形成されているので、呼吸や目を開くことが容易で楽になるという長所がある。
【００３３】
また、本発明の枕は顔を接して俯せになると、傾斜支持部が顔の骨格を締め付けて非対称の顔を矯正する長所がある。これによって、本発明を産業に利用することができる可能性が十分である。
【図１】
2013521974.tif 000003
【図２】
2013521974.tif 000004
【図３】
2013521974.tif 000005
【図４】
2013521974.tif 000006
【図５】
2013521974.tif 000007
【国際調査報告】
2013521974.tif 000008
2013521974.tif 000009
2013521974.tif 000010
2013521974.tif 000011